(57)【要約】【課題】  主遮断器および副遮断器の操作機構を同様の機械的な性能にする。【解決手段】  直流回路にそれぞれ直列接続された主遮断器３および副遮断器４と、前記主遮断器３に並列接続されたリアクトル６、コンデンサ７および転流スイッチ８を直列接続した転流回路９とを備え、前記直流回路の開路時には、前記主遮断器３よりも前記副遮断器４を先に開極し、前記直流回路の閉路時には、前記主遮断器３よりも前記副遮断器４を先に閉極したことを特徴とする。【選択図】  図１
2005197114.tif 000002
【特許請求の範囲】
【請求項１】
直流回路にそれぞれ直列接続された主遮断器および副遮断器と、
前記主遮断器に並列接続されたリアクトル、コンデンサおよび転流スイッチを直列接続した転流回路とを備え、
前記直流回路の開路時には、前記主遮断器よりも前記副遮断器を先に開極し、
前記直流回路の閉路時には、前記主遮断器よりも前記副遮断器を先に閉極したことを特徴とする直流遮断器。
【請求項２】
直流回路にそれぞれ直列接続された主遮断器および副遮断器と、
前記主遮断器に並列接続されたリアクトル、コンデンサおよび転流スイッチを直列接続した転流回路とを備え、
前記直流回路の開路時には、前記主遮断器よりも前記副遮断器を後に開極し、
前記直流回路の閉路時には、前記主遮断器よりも前記副遮断器を後に閉極したことを特徴とする直流遮断器。
【請求項３】
前記主遮断器および前記副遮断器が、開極して閉極するまでの時間と閉極して開極するまでの時間とを同様にしたことを特徴とする請求項１または請求項２に記載の直流遮断器。
【発明の詳細な説明】
【技術分野】
【０００１】
本発明は、開閉動作を改善し得る直流遮断器に関する。
【背景技術】
【０００２】
従来の直流回路の開路、閉路には、主遮断器と副遮断器とを直列接続した直流遮断器が用いられている（例えば、特許文献１参照。）。
【０００３】
この種の直流遮断器は、直流回路に主遮断器と副遮断器とを直列接続し、過電圧を吸収するサージアブソーバと、リアクトル、コンデンサおよび転流スイッチを直列接続した転流回路とを、主遮断器に並列接続して構成されている。また、主遮断器と副遮断器には、それぞれ操作機構が設けられている。
【０００４】
そして、図３に示すように、直流回路を開路する場合には、先ず、時間ｔ１に操作機構を動作させて主遮断器を開極する。すると、主遮断器の接点間でアークが発生する。そして、主遮断器の転流動作位置に達すると、時間ｔ２に転流スイッチを閉路して、主回路電流に振動転流電流を重畳し、電流零点で主回路電流を遮断している。次いで、直流回路が電流零点を迎える時間ｔ３に、主遮断器と異なる操作機構を動作させて副遮断器を開極し、直流回路を開路している。
【０００５】
更には、直流回路が電流零点を迎える前で、主遮断器と同時の時間ｔ１、あるいは転流スイッチが閉路する前に、副遮断器を開極し、この副遮断器の接点間でもアークを発生させ、そして電流零点で直流回路を開路しているものがある。
【０００６】
一方、直流回路を閉路する場合には、時間ｔ４に主遮断器と副遮断器とを、ほぼ同時に閉極する。
【特許文献１】特許第３１３５３３８号明細書  （第２ページ、図１）
【発明の開示】
【発明が解決しようとする課題】
【０００７】
上記の従来の直流遮断器においては、次のような問題がある。  
直流遮断器には、開極をO、閉極をCとすると、O−１分−COの動作責務があり、更には、O−例えば短時間の１秒−COの動作責務を要求されることがある。このように、短時間での開閉動作を要求される直流遮断器では、副遮断器が、主遮断器よりも遅く開極し、更には主遮断器と同時に閉極しなければならず、極めて開極して閉極するまでの時間が短時間となる。従って、副遮断器の操作機構を、短時間で繰返し動作するようにしなくてはならなかった。
【０００８】
このため、主遮断器の操作機構よりも副遮断器の操作機構を短時間の動作に耐え得るように、例えば耐衝撃力、耐摩耗性など機械的な性能を向上させなくてはならなかった。これは、同一の直流遮断器内の主遮断器と副遮断器とでそれぞれ異なる機械的な性能を有する操作機構を用いる必要があり、製造が困難で大量生産には不向きとなり、コストが向上する。
【０００９】
なお、主遮断器と副遮断器とを、ほぼ同時に開極し、またほぼ同時に閉極する場合があるが、これは主遮断器と副遮断器とを異なる時間に開閉することができない。
【００１０】
本発明は上記問題を解決するためになされたもので、主遮断器と副遮断器とを同様の機械的な性能を有する操作機構とし、互いが異なる時間に操作し得ることを目的とする。
【課題を解決するための手段】
【００１１】
上記目的を達成するために、本発明の直流遮断器は、直流回路にそれぞれ直列接続された主遮断器および副遮断器と、前記主遮断器に並列接続されたリアクトル、コンデンサおよび転流スイッチを直列接続した転流回路とを備え、前記直流回路の開路時には、前記主遮断器よりも前記副遮断器を先に開極し、前記直流回路の閉路時には、前記主遮断器よりも前記副遮断器を先に閉極したことを特徴とする。
【００１２】
また、本発明は、直流回路にそれぞれ直列接続された主遮断器および副遮断器と、前記主遮断器に並列接続されたリアクトル、コンデンサおよび転流スイッチを直列接続した転流回路とを備え、前記直流回路の開路時には、前記主遮断器よりも前記副遮断器を後に開極し、前記直流回路の閉路時には、前記主遮断器よりも前記副遮断器を後に閉極したことを特徴とする。
【発明の効果】
【００１３】
本発明によれば、主遮断器および副遮断器を異なる時間に動作させるとともに、開極して閉極するまでの時間と閉極して開極するまでの時間をそれぞれ同様にしているので、主遮断器と副遮断器とを動作させるそれぞれの操作機構の機械的な性能を同様にすることができる。
【発明を実施するための最良の形態】
【００１４】
以下、本発明による直流遮断器を図面を参照して説明する。
【実施例】
【００１５】
本発明の実施例に係る直流遮断器を図１および図２を参照して説明する。図１は、本発明の実施例に係る直流遮断器の回路構成を示す回路図、図２は、本発明の実施例に係る直流遮断器の動作を説明する説明図である。
【００１６】
図１に示すように、直流電源１と負荷２との間に、主遮断器３と副遮断器４とを直列接続し、過電圧を吸収するサージアブソーバ５と、リアクトル６、コンデンサ７および転流スイッチ８を直列接続した転流回路９とを、主遮断器３に並列接続して直流遮断器１０が構成されている。また、主遮断器３と副遮断器４には、それぞれ第１および第２の操作機構１１および１２が設けられている。
【００１７】
そして、図２に示すように、直流回路を開路する場合には、先ず、時間ｔ５に第２の操作機構１２で副遮断器４を開極する。次いで、数ｍｓ後の時間ｔ１に、第１の操作機構１１で主遮断器３を開極する。そして、主遮断器３が転流動作位置に達すると、時間ｔ２に転流スイッチ８を閉路して、主回路電流に振動転流電流を重畳し、電流零点で主回路電流を遮断している。
【００１８】
ここで、副遮断器４は主遮断器３よりも先に開極しているので、副遮断器４の接点間ではアークを発生する。このアークは、時間ｔ５から主回路電流が遮断されるまで継続されるので、時間ｔ５から時間ｔ１までの時間は振動転流電流の半波程度の短いことが好ましい。これにより、主遮断器３と副遮断器４とで主回路電流をほぼ同時に遮断し、主遮断器３で遮断後にサージアブソーバ５を介して負荷２側ヘ流れ込もうとする電流を副遮断器４で遮断して直流回路を開路することになる。
【００１９】
一方、直流回路を閉路する場合には、先ず、時間ｔ６に第２の操作機構１２で副遮断器４を閉極する。次いで、数ｍｓ後の時間ｔ７に、第１の操作機構１１で主遮断器３を閉極する。これは、主遮断器３と副遮断器４とを同時に動作させて閉極する場合に比べて、互いが閉極するまでの時間の不揃いがなくなり、主遮断器３の動作で直流回路を最終的に閉路することである。このため、直流回路を閉路する時間を容易に定めることができる。
【００２０】
ここで、主遮断器３が開極する時間ｔ１から閉極する時間ｔ７までの時間ｔａと、副遮断器４が開極する時間ｔ５から閉極する時間ｔ６までの時間ｔｂとは、ほぼ同様の時間である。これにより、主遮断器３および副遮断器４が閉極して開極するまでの時間も同様となる。
【００２１】
このため、直流遮断器１０の開極をO、閉極をCとすると、O−１分−COの動作責務はもとより、O−例えば短時間の１秒−COの動作責務を要求された場合において、主遮断器３と副遮断器４とは同様の動作責務となり、それぞれの操作機構１１、１２を同様とすることができる。また、直流回路を閉路する時間を確実に定めることができる。
【００２２】
上記実施例の直流遮断器によれば、開路する場合には、先ず副遮断器４を開極し、次いで主遮断器３を開極し、閉路する場合には、先ず副遮断器４を閉極し、次いで主遮断器３を閉極し、そして主遮断器３および副遮断器４の開極から閉極、および閉極から開極するまでの時間を同様にしているので、第１および第２の操作機構１１および１２の機械的な性能を同様にすることができる。
【００２３】
なお、本発明は、上記実施例に限定されるものではなく、発明の要旨を逸脱しない範囲で、種々変形して実施することができる。本発明の実施例では、主遮断器３よりも副遮断器４を先に開極および閉極させて説明したが、直流回路の開路時には主遮断器３を副遮断器４よりも先に開極させ、閉路時にも主遮断器３を副遮断器４よりも先に閉極させるようにしてもよい。そして、主遮断器３と副遮断器４とが開極して閉極するまでの時間、および閉極して開極するまでの時間をそれぞれ同様にすれば、それぞれの操作機構の機械的な性能を同様とすることができる。
【図面の簡単な説明】
【００２４】
【図１】本発明の実施例に係る直流遮断器の回路構成を示す回路図。
【図２】本発明の実施例に係る直流遮断器の動作を説明する説明図。
【図３】従来の直流遮断器の動作を説明する説明図。
【符号の説明】
【００２５】
１  直流電源
２  負荷
３  主遮断器
４  副遮断器
５  サージアブソーバ
６  リアクトル
７  コンデンサ
８  転流スイッチ
９  転流回路
１０  直流遮断器
１１  第１の操作機構
１２  第２の操作機構
【図１】
2005197114.tif 000003
【図２】
2005197114.tif 000004
【図３】
2005197114.tif 000005